Podtech/llm-jp-corpus-v4-ja_patent huggingface dataset:
(57)【要約】【課題】本発明は、簡単確実に連結かつ脱着可能な枠体用の継手構造の提供にある。【解決手段】1ないし複数の踏み盤を挿入もしくは形成する区画部を有する枠体を相互に連結するオス/メスの継手において、メス継手は、枠体の外枠に設けた上方に立ち上がる可撓片と、可撓片の上部にオス継手を挿入するときの案内部が設けられ、挿入されたオス継手の離脱防止のための係止部とからなり、オス継手は、枠体の外枠に設けられた前記案内部を受け入れる凹部と凹部の下方に設けられた挿入部からなり、当該挿入部が前記可撓片を枠体内方に押し曲げるように挿入され、挿入された挿入部が前記係止部によって離脱が防止されることを特徴とする枠体用継手である。【選択図】図1
2005232809.tif 000002
【特許請求の範囲】
【請求項１】
1ないし複数の踏み盤を挿入もしくは形成する区画部を有する枠体を相互に連結するオス/メスの継手において、メス継手は、枠体の外枠に設けた上方に立ち上がる可撓片と、可撓片の上部にオス継手の挿入部が挿入される際の案内部が設けられ、挿入されたオス継手の離脱防止のための係止部とからなり、オス継手は、枠体の外枠に設けられた前記案内部を受け入れる凹部と凹部の下方に設けられた挿入部からなり、当該挿入部が前記可撓片を枠体内方に押し曲げるように挿入され、挿入された挿入部が前記係止部によって離脱が防止されることを特徴とする枠体用継手。
【発明の詳細な説明】
【技術分野】
【０００１】
本発明は、枠体を簡単に連結離脱させることのできる継手技術に属する。
【背景技術】
【０００２】
1ないし複数に区画された区画部からなり、各区画部にレンガ、木レンガ、石材あるいはコンクリートなどを流し込んで踏み盤とする枠体を、平面状に配列・連結することでブロック舗装とする技術が各種知られている。
これら枠体を連結する方法として、特開平０６−００２３０７には枠体から外方に突き出るオス部とそのオス部を受け入れる凹部を枠体外表面に設けた継手の例が示されている、また特開平１−２７５８０２には枠体外方に突き出した接続板とその接続板に対し上下方向から挟むように接続する接続部からなる継手が開示されている。
また特開２０００−１２９６０７に開示されたメス継手は、枠体の外枠に設けた上方に立ち上がる可撓片と、可撓片の下部に設けた突片からなり、オス継手は前記その上部に可撓片の頭部を受け入れる凹部と、その下部に前記可撓片の下部に設けた突片を受け入れる受部からなる継手が開示されている。
【０００３】
【特許文献１】特開平０６−００２３０７
【特許文献２】特開平１−２７５８０２
【特許文献３】特開２０００−１２９６０７
【発明の開示】
【発明が解決しようとする課題】
【０００４】
本発明は、簡単確実に連結かつ脱着可能な枠体用の継手構造の提供にある。
【課題を解決するための手段】
【０００５】
本発明は、1ないし複数の踏み盤を挿入もしくは形成する区画部を有する枠体を相互に連結するオス/メスの継手において、メス継手は、枠体の外枠に設けた上方に立ち上がる可撓片と、可撓片の上部にオス継手の挿入部が挿入される際の案内部が設けられ、挿入されたオス継手の離脱防止のための係止部とからなり、オス継手は、枠体の外枠に設けられた前記案内部を受け入れる凹部と凹部の下方に設けられた挿入部からなり、当該挿入部が前記可撓片を枠体内方に押し曲げるように挿入され、挿入された挿入部が前記係止部によって離脱が防止されることを特徴とする枠体用継手である。
である。
【発明の効果】
【０００６】
本発明は、オス継手の挿入部がメス継手の案内部に従い挿入される際、メス継手の可撓片の上部（案内部）が枠体内方に押し曲げられ、挿入が完了した際、前記案内部がオス継手に設けた凹部に収まりオス継手の上方向への動きを拘束し、と同時に挿入部が可撓片の下方に設けた係止部に拘束され前後方向への動きが拘束されるためそのままでは脱離することがないが、可撓片を枠体内方に傾けるだけで上方への脱着が可能である。
【発明を実施するための最良の形態】
【０００７】
以下本発明を図を用いて詳細に説明する。
枠体は図3に示すように1ないし複数の区画に区分され、各区画には石材、レンガ材、木材などからなる踏み盤が挿入されあるいはコンクリートなどを流し込んで踏み盤が形成されるようになっている。
図示した枠体の形状は、図3ａに示した矩形あるいは図3ｂに示したH型であるが、その形状には特に制限はない。丸型、楕円型でもよいが菱形、正6角形など縦横に連続して並べた際にほぼ隙間なく、並べられる形状が好ましい。
【０００８】
図１は、本発明である枠体用継手の一例を示す概念図である。
図１ａに示すようにメス継手の可撓片は枠体の外枠に平行に立ち上がり、その上部オス継手の挿入部が挿入するための溝状の案内部が設けられている。また可撓片下部にはオス継手の挿入部が挿入され脱着しないよう係止部が可撓片下部を囲むように設けられている。係止部は、図示したようにオス継手の挿入部が挿入しやすいように挿入方向に向かって斜めにテーパが切られていることが好ましい。
オス継手は図1ｂに示したが、その向きはメス継手に挿入される向きと反対に示されている。図に示すようにその上部に枠体外枠から枠体内方に向かって可撓片上部に設けられた案内部を受け入れるための凹部が設けられ、その下部に可撓片の案内部である溝部を通過して係止部内に挿入される挿入部が設けられている。
【０００９】
図2は、本継手の接続過程を示している。図2ａと図2ｂは係止部の位置の差のみがことなり、上から接続前、接続の途中、接続後の状態を示している。
接続すべき２つの枠体１と枠体2のうち、配置された枠体１のメス継手の案内部である溝部に枠体2のオス継手の挿入部が挿入され、接続の途中図に示すように、押し付けるように可撓部を枠体内方に傾けるようにしながら挿入され係止部と可撓片との隙間を通過する。接続後図に示すように、案内部がオス継手の凹部に受け入れら接続が完了する。
【００１０】
枠体1と枠体2が同一平面に接続されるよう案内部の高さ、係止部の高さを調整することが好ましい。
図1に示す可撓部は枠体の外枠と同じ位置に設けているが、外枠と平行に設ければ、オス継手の凹部および挿入部の位置を対応させることで枠体の外方向あるいは内方向に設けても何らさしつかえない。
【００１１】
矩形の枠体に設ける継手の位置は、例えば図3ａに示すように、相接する2辺にオス継手、他の相接する2辺にメス継手を設けることで縦横に接続可能である。またＨ型の枠体にあっては図3ｂに示す位置に示す位置にオス継手、メス継手を設ければよい。
【図面の簡単な説明】
【００１２】
【図１】本発明である枠体用継手の概念図である。
【図２】本発明である枠体用継手の接続過程を示す概念図である。
【図３】本発明が適用される枠体の例を示す。
【符号の説明】
【００１３】
１  枠体１
２  枠体2
１０メス継手
１１可撓片
１２案内部
１３系止部
２０オス継手
２１受け部
２２挿入部
【図１】
2005232809.tif 000003
【図２】
2005232809.tif 000004
【図３】
2005232809.tif 000005
(57)【要約】【課題】  水中に塵埃の混入、毒物等の投入を防止すると共に発電を行い、屋根部を有効活用できる太陽電池付貯水槽を提供する。【解決手段】  貯水槽１の周囲に壁面２が立設され、この壁面２上に南側に傾斜した屋根部３が設置されている。屋根部３は鉄骨フレームから成り格子状に組み立てた枠体上に、多数枚の太陽電池パネル４が貼り付けられている。北側の壁面２ｂには、ドア等の出入口部５が設けられており、内部点検や水質検査の際に出入りして、貯水槽１の中を観察したり、水を採取することができるようになっている。【選択図】図１
2005232843.tif 000002
【特許請求の範囲】
【請求項１】
貯水槽の水面上に周囲の壁面を介して屋根枠を設け、該屋根枠上に太陽電池パネルを配置して屋根部とし、前記壁面に内部に出入りするための出入口部を設けたことを特徴とする太陽電池付貯水槽。
【請求項２】
前記屋根部は南側に向けて傾斜させた請求項１に記載の太陽電池付貯水槽。
【請求項３】
前記太陽電池パネルの比重は１以下とし、水に浮かぶようにした請求項１に記載の太陽電池付貯水槽。
【発明の詳細な説明】
【技術分野】
【０００１】
本発明は、浄水場や下水処理場等の屋外に設置する太陽電池付貯水槽に関するものである。
【背景技術】
【０００２】
従来、浄水場等の水処理を行う貯水槽は、一般に屋外に設置されており、この貯水槽の水面は開放されているか、単に蓋材を被せるだけであったり、或いは浮上性を有する板材を浮かせている。
【発明の開示】
【発明が解決しようとする課題】
【０００３】
しかしながら、屋外に設置されていることから塵埃が混入し易く、更に近年ではテロ等により毒物等が投入される虞れもある。
【０００４】
本発明の目的は、上述の課題を解消し、水面上に太陽電池パネルから成る屋根部を設けることにより塵埃の混入、毒物等の投入を防止すると共に、発電を行い、屋根部を有効活用できる太陽電池付貯水槽を提供することにある。
【課題を解決するための手段】
【０００５】
上述の目的を達成するための請求項１に係る本発明は、貯水槽の水面上に周囲の壁面を介して屋根枠を設け、該屋根枠上に太陽電池パネルを配置して屋根部とし、前記壁面に内部に出入りするための出入口部を設けたことを特徴とする太陽電池付貯水槽である。
【０００６】
また、請求項２に係る本発明は、前記屋根部は南側に向けて傾斜させた請求項１に記載の太陽電池付貯水槽である。
【０００７】
更に、請求項３に係る本発明は、前記太陽電池パネルの比重は１以下とし、水に浮かぶようにした請求項１に記載の太陽電池付貯水槽である。
【発明の効果】
【０００８】
本発明に係る太陽電池付貯水槽は、屋根部の太陽電池パネルにより水面をほぼ密閉して塵埃の浸入、毒物等の投入を防止できると共に、内部点検を可能とし、太陽電池パネルにより発電することができる。
【０００９】
また、屋根部を設け、この屋根部に供給された太陽電池エネルギの一部を電力に変更することにより、貯水槽内の水温の上昇を抑制することができる。
【発明を実施するための最良の形態】
【００１０】
図１は斜視図、図２は背面図を示し、例えば約１４×１１ｍの貯水槽１の周囲に、鉄骨フレームに鋼板又はガラス板を貼り付けた壁面２が立設されている。南側の壁面２ａは例えば約０．８ｍの高さとし、北側の壁面２ｂは約２ｍの高さとされ、側面の壁面２ｃ、２ｄは台形状の形状とされている。
【００１１】
これらの壁面２上に、屋根部３が設置されている。屋根部３は太陽光を効率良く受光するために南側に傾斜しており、この屋根部３は鉄骨フレームから成り格子状に組み立てられた枠体上に、１枚が約０．８×１．５ｍの大きさの太陽電池パネル４が例えば１１９枚貼り付けられている。
【００１２】
また、北側の壁面２ｂには、ドア等の出入口部５が設けられており、内部点検や水質検査の際に屋根部３内に出入りして、貯水槽１の中を観察したり、水を採取することができるようになっている。
【００１３】
１枚の太陽電池パネル４からは例えば最大１８０Ｗ／ｈの出力が得られ、全体で最大２１．４ｋＷ／ｈの電力を得られる。この得られた電力は施設内で利用したり、余剰が生ずれば電力会社等に売電することができる。
【００１４】
また、太陽電池パネル４は、表面の発電素子が金属製の枠体により囲まれ、冠水や水から昇ってくる湿気対策として、裏面に発泡合成樹脂等が貼り付けられている。また、発泡合成樹脂を使用していることから全体の比重は１以下とされ、仮に水面上に落下しても、水に沈まず、また使用不能となることがないようにされている。
【００１５】
なお、更なる防水、防湿対策として、屋根部３の太陽電池パネル４の下に天井板を一面に構設してもよい。
【産業上の利用可能性】
【００１６】
貯水槽１の定期点検や保守作業の際には、太陽電池パネル４を外したり移動したりすることなく、作業者が出入口部５から内部に入って作業をすることができる。
【図面の簡単な説明】
【００１７】
【図１】太陽電池付貯水槽の斜視図である。
【図２】太陽電池付貯水槽の背面図である。
【符号の説明】
【００１８】
１  貯水槽
２  壁面
３  屋根部
４  太陽電池パネル
５  出入口部
【図１】
2005232843.tif 000003
【図２】
2005232843.tif 000004
(57)【要約】【課題】古い公団・公営住宅等の浴室を簡単に改装できる床ユニットを提供する。【解決手段】平板状の防水パン１と、その縦横辺にそれぞれ対応する枠材２と、防水パン１を下面から受け止める補強材３とを主要構成部材とし、前記枠材２の内側下部に防水パン１を嵌め込む嵌合部４を形成し、この嵌合部４により防水パン１が既設床の上面から浮き上がった状態で支持されるようにする。また、防水パン１に既設の排水口に対応する排水穴５を設け、その周囲を防水パン１の下面から穴受材６で補強し、排水穴５に排水筒７及び排水目皿８を挿入する。【選択図】図１
2005232887.tif 000002
【特許請求の範囲】
【請求項１】
平板状の防水パンと、その縦横辺にそれぞれ対応する枠材と、防水パンを下面から受け止める補強材とから成り、前記枠材の内側下部に防水パンを嵌め込む嵌合部を形成し、この嵌合部により防水パンが既設床の上面から浮き上がった状態で支持されるようにした浴室改装用床ユニット。
【請求項２】
前記防水パンに既設の排水口に対応する排水穴を設け、その周囲を防水パンの下面から穴受材で補強し、排水穴に排水筒及び排水目皿を挿入するようにした請求項１に記載の浴室改装用床ユニット。
【発明の詳細な説明】
【技術分野】
【０００１】
この発明は、古い公団・公営住宅等の浴室を改装する床ユニットに関するものである。
【背景技術】
【０００２】
鉄筋コンクリート構造により建築された初期の公団・公営住宅は、建築後長期間を経ていることから、設備面で近年の集合住宅との格差が大きくなっており、特に、床面がモルタル塗りとされた浴室の洗い場は、そのままでは肌触りが冷たいことから、簀の子等を敷いて使用している家庭も多く、いかにも古い印象を与えるものとなっている。
【０００３】
このような状況への対策として、公団・公営住宅の管理者は、空住戸が生じたとき、その住戸に大規模な修繕を施し、ユニットバス等を導入することにより、新たな入居者を募集する際における魅力向上を図ろうしている。
【発明の開示】
【発明が解決しようとする課題】
【０００４】
しかしながら、上記のようにユニットバス等を導入しようとすると、コストが高くつくほか、工事に長期間を要するという問題があり、また、既入居の住戸では、そのような改修工事は難しいという問題がある。
【０００５】
そこで、この発明は、古い公団・公営住宅等の浴室を簡単に改装できる床ユニットを提供しようとするものである。
【課題を解決するための手段】
【０００６】
上記課題を解決するため、この発明は、平板状の防水パンと、その縦横辺にそれぞれ対応する枠材と、防水パンを下面から受け止める補強材とから成り、前記枠材の内側下部に防水パンを嵌め込む嵌合部を形成し、この嵌合部により防水パンが既設床の上面から浮き上がった状態で支持される浴室改装用床ユニットを提供することとしたのである。
【０００７】
また、前記床ユニットにおいて、防水パンに既設の排水口に対応する排水穴を設け、その周囲を防水パンの下面から穴受材で補強し、排水穴に排水筒及び排水目皿を挿入するようにしたのである。
【発明の効果】
【０００８】
このような床ユニットは、既設床を剥がすことなく、また、既設の排水口金物を移設することなく、浴室の洗い場を簡単に近代的で美しい印象に改装することができる。また、防水パンとして樹脂製のシボ加工を施したもの等を用いることにより、肌触りが温かく柔らかになり、使用感も大幅に向上させることができる。
【発明を実施するための最良の形態】
【０００９】
以下、この発明の実施形態を添付図面に基づいて説明する。
【００１０】
図１に示すように、この浴室改装用床ユニットは、平板状の防水パン１と、その縦横辺にそれぞれ対応する長短各一対の枠材２と、防水パン１を下面から受け止める長板状の補強材３とを主要な構成部材として備えている。
【００１１】
枠材２は、図２に示すように、断面形状がＬ字状とされ、その内側下部には、防水パン１を嵌め込む段状の嵌合部４が形成されている。
【００１２】
防水パン１には、既設の排水口に対応する排水穴５が設けられ、この排水穴５へ向かって低くなるように勾配がつけられている。
【００１３】
また、排水穴５の周囲を防水パン１の下面から補強する環状の穴受材６の内径は、排水穴５より小さくなっており、その内側に排水穴５を介して排水筒７が挿入され、排水穴５に排水目皿８が嵌め込まれる。穴受材６の下面には通水溝９が設けられている。
【００１４】
このような浴室改装用床ユニットを浴室の洗い場の床に設置する際には、予め、汎用性を考慮して長尺に成形された枠材２を、洗い場の内寸に合わせて切断すると共に、大きめに成形された防水パン１を、枠材２に嵌まる寸法に切断しておく。
【００１５】
そして、枠材２を洗い場の既設床１０の周囲に沿わせ、補強材３を既設床１０の上面に配列し、穴受材６を既設の排水口１１の周囲に置き、枠材２の嵌合部４に防水パン１を嵌め込み、排水穴５に排水筒７及び排水目皿８を挿入する。
【００１６】
このように施工すると、既設床１０を剥がす必要がなく、嵌合部４により防水パン１が既設床１０から浮き上がった状態で支持されるので、補強材３と防水パン１との間に若干の隙間を設けておけば、既設床１０の上面に多少の凸凹があっても支障なく施工できる。
【００１７】
また、排水口１１の金具を移設する必要もなく、排水筒７のフランジが穴受材６で受け止められ、その上に排水目皿８が載った状態となり、防水パン１の下方に回り込んだ水は穴受材６の通水溝９を介して排出されるので、排水性にも優れたものとなる。
【００１８】
そして、浴室の洗い場が近代的で美しい印象となるだけでなく、防水パン１として樹脂製のシボ加工を施したもの等を用いることにより、肌触りが温かく柔らかになり、使用感を大幅に向上させることができる。
【００１９】
なお、図３に示すように、枠材２の嵌合部４を溝状にしておき、この嵌合部４に防水パン１の端縁部を差し込むようにすると、使用時における防水パン１のずれや跳ね上がりが防止され、安定性が向上する。
【００２０】
また、枠材２が長くなる場合には、その枠材２を分割し、施工現場で接合できる構造にしておくと、現場への運搬や浴室への据え付けが容易になる。
【図面の簡単な説明】
【００２１】
【図１】この発明に係る浴室用改装用床ユニットの分解斜視図
【図２】同上の施工状態を示す断面図
【図３】同上の枠材嵌合部の他形態を示す断面図
【符号の説明】
【００２２】
１  防水パン
２  枠材
３  補強材
４  嵌合部
５  排水穴
６  穴受材
７  排水筒
８  排水目皿
９  通水溝
１０  既設床
１１  排水口
【図１】
2005232887.tif 000003
【図２】
2005232887.tif 000004
【図３】
2005232887.tif 000005
(57)【要約】【課題】  従来のは、左右対称の平らな棒杵を片手で挟んで、アーム部先端で挟むだけで使用するものであった。【解決手段】  １のアーム部１辺を斜め湾曲にする。２は２辺先端アーム部を平たく先端になるほど細い３は２辺アーム部内側に凹凸にすることを特徴とする。【選択図】  図１
2005232885.tif 000002
【特許請求の範囲】
【請求項１】
多種多様の飲料用空き容器、主に空の状態、若しくは廃品状態になった缶、
ビン、ペットボトル及びこれらに類似した形状の容器の分別回収する用具。
【請求項２】
タバコの吸殻等のように、無造作に捨てられている明らかにゴミと判断で
きる、細かくかつ軽量のゴミ回収のための用具。
【請求項３】
直線では長さが等しい2つのアームであるが、いずれか片方に、ほぼ真中
より先端にかけて、湾状の丸みをもたせ、且つ、多少の捻りを加えることに
より、目的回収容器の直径に対応するため、回収作業において能率よく迅速
性がある。
【請求項４】
さらに、2つのアームにて目的対象物を挟んで回収する際に、少しでも取
りこぼしの無いように、2つのアームのほぼ真中より先端にかけて、アーム
の内面に凹凸を加え、滑り止めとしている。
【請求項５】
（請求項２）についての補足として、例えば従来の「火箸」では先端部分
が変哲もない平たい状態のままか、若しくは先端のみが鋸の歯の状態に細工
が施されているのみであるが、本品は先端になるほどスリムにカットされて
おり、いわゆる三角形に近い形状を呈している。
これにより、例えばマッチ棒のような軽量且つ微小な廃品の回収において
も、難なく対処できる。
【請求項６】
2つのアーム部の一端は弾力性のある、横断面ではほぼC字形状のリブに
より一体化されている。
【発明の詳細な説明】
【技術分野】
【０００１】
本発明は、投棄ゴミ、廃品を拾い上げ、回収作業を能率的且つ迅速に行うゴミ収集用具に関する。
【背景技術】
【０００２】
従来の類似商品は、丸い形状の固形物（カン、ビン、ペットボトル等）を
挟み上げる場合、すべり落ち易いという問題点があった。
【０００３】
従来のでは、小さい形状の物体を挟み込む際に、零れ落ちるという問題点が
あった。
【０００４】
従来の商品は、挟み込んで拾い上げる際に、目的対象物に大きな差異がある
場合、用具の変更等迅速性に欠けていた。
【発明の開示】
【発明が解決しようとする課題】
【０００５】
これには次のような問題点があった。
従来の類似商品では、アーム部分が同じ形状の丸みの為、小さな丸いものは挟みにくいという問題があった。
【０００６】
従来の類似商品では、先端の巾が広い為、たばこの吸殻等のように小さなごみを挟み上げるという点において問題があった。
【０００７】
従来のでは、一対のアーム部分が単純な直線状のため、滑りやすく挟み難いという問題があった。
本発明は、以上のような欠点を解消するためになされたものである。
【課題を解決するための手段】
【０００８】
アーム部の片方を湾状に丸みを持たせ、且つ、多少の捻りを加える。
【０００９】
アーム部の先端２辺を平らで丸く細長くする。
【００１０】
アーム部２辺の内側に凹凸をいれる。
以上の構成よりなる形状のみである。
【発明の効果】
【００１１】
のアーム部の片方を限界はあるが、斜め湾曲にする事により、大きさが異なるものを挟むことができ又、アーム部の先端２辺を平らで丸く細長くすることで小さな物体も挟み易い。又、アーム部内側に凹凸を付ける事によりすべりにくくなり、挟み損じがない。
【発明を実施するための最良の形態】
【００１２】
以下、本発明の実施例について説明する。
１． アーム部１辺を斜め湾曲にする。  ２．２辺先端アーム部に平たく細長くする。３．２辺アーム部内側に凹凸をつける。
【実施例】
【００１３】
本発明の実施例を図１参照して説明する。の斜視図である。
【図面の簡単な説明】
【００１４】
【図１】本発明の斜視図である。
【符号の説明】
【００１５】
１．アーム部１辺斜め湾曲
２．２辺アーム部先端
３．２辺アーム部内側
【図１】
2005232885.tif 000003
(57)【要約】【課題】  尖端の高さを調整しうるマンホールとその施工法。【解決手段】  マンホールの上部開口部にねじによって高さを調整しうるようにした上下調整リングを配してなるマンホールと、マンホール周縁地盤を転圧するに際して地盤の沈下に伴って調整リングを重ねて上昇させるマンホールの施工法である。【選択図】    図１
2005232891.tif 000002
【特許請求の範囲】
【請求項１】
マンホールの上部開口部にねじによって高さを調整しうるようにした上下調整リングを配してなることを特徴とするマンホール。
【請求項２】
上下調整リングは相欠状に重ね合せて上昇される請求項１記載のマンホール。
【請求項３】
マンホール周縁地盤を転圧するに際して地盤の沈下に伴って調整リングを重ねて上昇させ、かつ地盤上に盛土することを特徴とするマンホールの施工法。
【発明の詳細な説明】
【技術分野】
【０００１】
この発明は排水溜、留淵等いわゆるマンホールとその埋設施工法に関するものである。
【背景技術】
【０００２】
従来のマンホールは一例として下記公報に示すように頂部に調整リングを設けてマンホールの天端を所要の高さにすることができる。ところでマンホール周縁をローラーで転圧して地盤を締固めるような場合周縁地盤が沈下し、マンホール部分が突出し、転圧が困難である。そこで従来はマンホール周囲はダンパ締め固めを主としている。
【特許文献１】特開２０００−１１０１８７公報
【発明の開示】
【発明が解決しようとする課題】
【０００３】
この発明はマンホールの天端高さが下層路盤及び上層路盤そして最後のアスファルト表層仕上までの間地表面から突出したままの状態にあり、またローラーによる転圧が困難となることを防ぐことにある。
【発明の効果】
【０００４】
この発明はマンホールの天端高さの調整が容易でありマンホール周縁の地盤の転圧に際してマンホールの尖端の突出を少なくして施工を容易かつ車両通行に安全とすることができる。
【実施例】
【０００５】
以下この発明の具体的な実施形態を図面に基いて説明する。
【０００６】
マンホール本体Ａの上部に受台１を設置し、この受台１上に下部調整リング２が固定ボルト３によって固定されている。
【０００７】
下部調整リング２上には相欠状に重ねられる下部調整リング２が必要数重ねられ、最上段には上部調整リング４が重ねられる。この下部調整リング２の内面の４ヶ所に調整ボルト５が内面に固定された雌ねじ筒６支持台７に支持され、上部調整リング４と各下部調整リング２間を微調整するとともに連結する。なお上下リング４，２間の間隙にはパッキングを挿入する。
【０００８】
マンホール本体Ａの周縁には埋戻路盤Ｂが布設され、その上にアスファルト基層Ｃを敷き、表面にアスファルト表層Ｄが布設されている。
【０００９】
施工に際してはマンホ−ル周縁を全転圧すなわちローラーで転圧し、必要により地盤上に適宜盛土する。マンホールの嵩上げが必要な場合、上部調整リング４を重ねる。
【図面の簡単な説明】
【００１０】
【図１】全体の概要を示した縦断面図である。
【図２】要部の縦断面図である。
【図３】要部の他の実施例の縦断面図である。
【図４】要部の横断面図である。
【符号の説明】
【００１１】
１…受台、２…下部調整リング、３…固定ボルト、４…上部調整リング、５…調整ボルト、６…雌ねじ筒、Ａ…マンホール本体、Ｂ…埋戻し路盤、Ｃ…アスファルト基層、Ｄ…アスファルト表層
【図１】
2005232891.tif 000003
【図２】
2005232891.tif 000004
【図３】
2005232891.tif 000005
【図４】
2005232891.tif 000006
(57)【要約】【課題】  体型的にＯ脚又はガニ股の人にとっても、ズボンの着心地がよく、また見た目にすっきりとした外観を呈することができるようにしたズボンの構造に関する。【解決手段】  ズボン１の表面表身頃２ａ，２ｂに付せられる折目線３ａ，３ｂの始まる部分に構成するタック４ａ，４ｂを構成するに当たって、これらタック４ａ，４ｂの折目を内向きに形成すると共に、前記ズボン１に採用する生地５を内曲がり状に仕立てるようにしたことを特徴とする。【選択図】      図２
2005232608.tif 000002
【特許請求の範囲】
【請求項１】
ズボンの表面表見頃に付せられる折目線の始まる部分に構成するタックを構成するに当たって、これらタックの折目を内向きに形成するようにしたことを特徴とするズボンの構造。
【請求項２】
ズボンの採用する生地を内曲り状に仕立てるようにした請求項１に記載のズボンの構造。
【発明の詳細な説明】
【技術分野】
【０００１】
本発明は、体型的にＯ脚又はガニ股の人にとってもズボンの着心地がよく、また見た目にすっきりとした外観を呈するようにしたズボンの構造に関する。
【背景技術】
【０００２】
従来、ズボンの折目線の始まりにタックを付する場合、タックを折る方向が外向き形成されている。しかしこの方法であると、腹回りが張った状態になる等、体型がＯ脚とかガニ股の人は、ズボンの折目線がＯ又は外開きになりやすく、また長時間履いていると、坐り皺などがつき、生地が緩むとともに斜めの状態になり、なおさら折目線がまとまりのない形を呈することになる。
【特許文献１】特開平０９−０３１７１９
【発明の開示】
【発明が解決しようとする課題】
【０００３】
ズボンには折目線の始まりにタックをとって、腹回りにゆとりを持たせることが行なわれているが、このタックの形状に関して新規な提案を行なって、従来とは異なる効果を挙げるようにすることが、本発明の解決しようとする課題である。
【課題を解決するための手段】
【０００４】
ここにおいて本発明は、タックの折目を内向きに形成することによって、腹回りにゆとりが生じ、折目線が外に開かず、内引張りの方向に力が入り、折目線が垂直線を保つことができる。この場合、生地を内曲状に仕立てるようにすることによって効果がさらに向上するものである。
【０００５】
力学的に考えると、ズボンの尻の部分と腹の部分の形状の変化を考えると、尻回りの部分は立っても坐ってもあまり変化（内周寸法）はないのであるが、腹回りは立つと凹み、坐ると出っ張って、内周寸法は変化するので、本発明はそれに対する対策となっているものである。
【０００６】
生地は縦糸横糸が直角に交叉しているのであるが、直角を維持できずに変角することが、全体を流れる折目線の変形となっているためである。
【０００７】
本発明によれば、比較的簡単な縫製作業によって、特にＯ脚又はガニ股の体型の人にとっても着心地のよいズボンを提供することが可能となるものである。
【０００８】
図１はズボンの立体図を示し、ズボン１の表面前身頃２ａ，２ｂに付する折目線３ａ，３ｂの始まり部分にタック４ａ，４ｂを付するのであるが、この場合、タック４ａ，４ｂの折目を図２に示すように内向きに形成するのである。その結果、折目線３ａ，３ｂに内張り方向の力が作用し、これによって折目線を垂直に保つことが可能になるのである。
【０００９】
なお、実用上ズボン１の生地５に関して、内曲げ状に仕立てることによって、この発明の効果をさらに高めることができるのである。
【図面の簡単な説明】
【００１０】
【図１】本発明の一実施例を示すズボンの立面図である。
【図２】図２の要部の拡大斜視図である。
【符号の説明】
【００１１】
１          ズボン
２ａ．２ｂ  前身頃
３ａ，３ｂ  折目線
４ａ，４ｂ  タック
５          生地
【図１】
2005232608.tif 000003
【図２】
2005232608.tif 000004
(57)【要約】【課題】使用者が作業し易いよう針金等線材の摩擦力を強化することにある。【解決手段】針金等線材の表面に任意の凹凸模様を付け又は任意の粘着剤を塗布し、表面摩擦力を強化する。【特許請求の範囲】
【請求項１】
表面に任意の凹凸模様を付け、又は任意の粘着剤を塗布した線材。
【発明の詳細な説明】
【技術分野】
【０００１】  本発明は作業性を向上させるよう表面の摩擦力を強化した線材に関するものである。
【背景技術】
【０００２】  針金等線材を使用する立場からは針金等の線材表面に摩擦があったほうが作業がし易くて便利なのだが、現状流通している線材はその製造や流通工程でボビン等に巻き取るときに絡まないよう表面をより滑らかにしようとするものばかりあって、摩擦力を強化するという発想の技術は特に見当たらない。
【発明の開示】
【発明が解決しようとする課題】
【０００３】  使用者が作業し易いよう針金等線材表面の摩擦力を強化することにある。
【課題を解決するための手段】
【０００４】  針金等線材の表面に任意の凹凸模様を付け、又は任意の粘着剤を塗布する。
【発明の効果】
【０００５】  線材の表面に付けた凹凸模様又は塗布した粘着剤によって表面摩擦力が強化され、特に手作業等の作業性が向上するとともに、結線したときの結び目が解けにくくなる。
【発明を実施するための最良の形態】
【０００６】  針金等線材の表面に任意の凹凸模様を付け、又は任意の粘着剤を塗布する。
【実施例】
【０００７】  ここで言う線材とは均一な素材を１本の線状に加工したものを言い、また線材の素材としては金属や合成樹脂の他様々なものが存在するが、本発明では素材について特定せず任意なものとする。【０００８】  線材の表面に付ける凹凸模様の種類としては、粉をまぶしたようなものから、点、線、まだら、それらの組み合わせその他が考えられ、また規則的、不規則的など様々な態様が考えられるが、本発明では凹凸模様の種類は特定せず任意なものとする。【０００９】  線材の表面に凹凸模様を付ける手段については、素材表面の物理的な加工によるもの、素材表面の化学処理によるもの、線材の被膜に凹凸模様をつけるものその他が考えられるが、本発明では特定せず任意なものとする。【００１０】  線材の表面に塗布する粘着剤の種類は、本発明としては特定せず任意なものとする。
(57)【要約】【目的】  手袋背面の手首付近から、５指の指先までの間に、帯状ゴム紐を縫着するとか、同じく手袋の背面手甲部全面と５指先までにゴム状糸を縫い込むとか、塗着して手の掌握、離握を繰り返しながら手指の屈伸運動をして、手指先の毛細血管を広めながら、血液の循環、血行をよくして、手指先の温度を身体本体と同温度に保つ事によって健康を管理し、血管の収縮を原因とする病気を予防するとか完治さす事を目的とする装置及び靴下に同装置をして同目的を求める装置を提供する。【構成】  手袋の背面の手首から５指の先端までにゴムを主体とする帯紐を縫着するとか、同じくゴムを主体とする糸を一面に織り込むとか、手袋の背面手首付近から５指指先までの間にゴムを塗着してその手袋内にある手指の屈伸を繰り返しゴムの弾力を応用して手指の届伸運動をするとか靴下の上甲部から足指先までに同装置を施し、老化現象を来して血行の劣化した指先の毛細血管まで血液を送り込み血液不循環によって原因する病気を予防するとか、治癒する為の装置。【選択図】  図１
2005232656.tif 000002
【特許請求の範囲】
【請求項１】
現今、老齢化社会に伴い、手足等の指先に至る血管への血液の循環が衰え、それが為に起こる病気は世界に蔓延している。本案は、これが起因する病気などを予防するとか治癒する事を目的として開発した装置である。
【請求項２】
本装置は従来より用いられている通常手袋背面、靴下の甲部等の手首付近とか足甲の付近から、各５本の指先までの間に幅広のゴムひも（帯状のもの）を装着して、５指の屈伸を繰り返しながら５指の運動を重ねる事によって血液の循環をよくし、脳梗塞とか脳血栓等これに類する病気を防ぐ事を目的としたものである。
又、屈伸運動の効果を高める為には手袋の背面全部（手の甲から５指に至る）とか足甲面にゴムを組み縫い合わせるとか塗着してもよい。
【請求項３】
本装置は、全種の手袋、即ち、綿製品、毛製品、皮革製品とか靴下等の総てに用いて、常に常時、場所と時間に拘泥する事なく安易に屈伸運動を可能とする事を目的として開発したものである。
【発明の詳細な説明】
【発明の詳細な説明】
【技術分野】
【０００１】  本発明は、中老年化する人の運命としてその老化現象に伴い漸次血液の循環が劣化し、脳梗塞とか脳血栓のような病気を起こす事がある。そこで従来より用いられている手袋、靴下及びその製作に当たって、その手袋の背面、靴下の甲部等の手首、足甲付近から５指の指先までの間に幅広帯状のゴム紐とか、別製した、それに見合う帯状のゴム帯を作って縫着するとか、新製品作成に当たっては、上記手袋の背面の手首付近及び足首甲付近から各５指の指先まで、ゴムそのものを縫い込んで、５指の屈伸をする事によって、５指を運動し、指先の毛細血管に至るまで血液を循環さすので、これに起因する病気などを予防又は治癒する事が出来る。
【背景技術】
【０００２】  従来の技術としては、手中において握力を計る握力計を用いて屈伸運動の用を足すとか、握力グリップ、ダンベル、エキスパンダー等を用いて手指の劣化防止の為の運動をする例があるが、これらは、特定の場所を必要とするとか、随時に利用できず、使用時間なども限定される事があるので常時使用する事は出来ない。本案は、そのような難点を排除し、何時でも、何処でも特に就寝中の夜具の中でも常に手指、足指の屈伸運動が出来るよう開発したものである。
【発明が解決しようとする課題】
【０００３】  本発明による、ゴムを付帯した、帯状紐、又はゴムを塗着した手袋、靴下は、食事とか事務等の時間を除く総ての日常生活において居宅においても、通勤中の車中、運転中の車中、特に夜間寝具に入って寝る時等、何時でも何処でも随時に本案手袋、靴下等を履いていれば気のついた時、思った時、何時でも何処でも手を握り離す事によって、又足指先を曲げる事によって直ちに随意に手指、足指の運動が出来るよう開発したものである。
【０００４】  又、極寒の地においては、作業中も両手の摩擦を必要とするとか跳躍して足指先の運動をするが、本案装置を具備した手袋、靴下を装着（履く）していれば、歩行中、作業中に何時でも、その屈伸運動を続けられるので、特別に両手を摩擦するとか跳躍をする時間が省け、気がついた時に凍傷をするというような不慮の災難を防ぐ事が出来るので、その意義に大なるものがある。
【発明を実施するための最良の形態】
【０００５】  以下、図面に示す形態に基づいて説明する。図１は、手袋の手首付近から５指の指先までの背面に帯状のゴム紐を装着した本案装置。図２は手袋の背面手の甲全面と５指の指先までにゴム状態糸を縫い込むとか、その全面にゴムを塗着させた装置を表したものであり、図３は手袋の背面にゴム状紐とか、ゴムを塗着した手袋を握ろうとしたところと、離そうとしたところの屈伸運動操作を表したものである。図４は靴下甲部から足指先に装着したゴムひもとかゴムを装着した装置である。
【発明の効果】
【０００６】  本発明の手袋、靴下は一旦付着したゴム紐、帯などが、手袋の寿命と共に永久に存続し、常に手袋と一帯しているので何時でも手袋内の手指の掌握、離握を繰り返すとか足指の屈伸を繰り返す事によってゴムの弾性が加わり、その運動によって手指、足指に力が加わり、その運動によって、手指、足指の強化を計り温度を高め、手指、足指の毛細血管を広め、血液の循環を増進する事が出来る。
【図面の簡単な説明】
【図１】手袋にゴム付着の帯状紐を手首より手指先５指まで装着した本案発明の手袋の背平面図。
【図２】手袋の背面、手甲部より、手指先５指に至るまでに、ゴムを組み込むとか、塗着した本発明の手袋の背平面図。
【図３】手袋背面の手首付近から５指までの間又は手甲全面から、手５指の指先までゴム糸を縫い込むとか、ゴムを塗着した手袋の屈伸作用中のところを表したところ。
【図４】靴下の表面甲部から足指先までにゴム紐、又は帯状ゴム帯等を縫い込むとか、ゴムを塗着した断面図。
【符号の説明】
１  手袋本体
２  帯状ゴム紐又は、塗着したゴム面
３  ３親指、４中指、５小指等と手指の存在を示したもの
４  ６人差し指から小指までの４指の屈伸作用をしている時の４指の曲がり具合を表したところの断面図
５  ７は親指が屈伸作用している時の曲がりを表した断面図
６  ８は靴下足首甲部から、足指先までにゴム紐又は帯状のゴム帯を縫着するとか、ゴムを塗着した時の靴下の断面図
７  ９は足首上部の足甲から、足指先まで本件装置を装着した時の断面図
【図１】
2005232656.tif 000003
【図２】
2005232656.tif 000004
【図３】
2005232656.tif 000005
【図４】
2005232656.tif 000006
(57)【要約】【課題】高温になった鍋や皿などを取り扱う時に、火傷防止にもなる便利な鍋つかみ機能付きエプロンを提供する。【解決手段】エプロン裏面の左右下方に、一対の耐熱性素材からなるポケットを設けた鍋つかみ機能を有するエプロンであって、エプロン本体と同色の表生地と、手の平の形状に合わせた耐熱性素材の下生地とを縫合し、さらにその耐熱性素材の面と、エプロン裏面とを重ね合わせ縫合することで、エプロン裏面の左右下方に耐熱ポケットを形成したことを特徴とする鍋つかみ機能付きエプロン。【選択図】図３
2005232660.tif 000002
【特許請求の範囲】
【請求項１】
エプロン裏面の左右下方に、一対の耐熱性素材からなるポケットを設けた鍋つかみ機能を有するエプロンであって、エプロン本体と同色の表生地と、手の平の形状に合わせた耐熱性素材の下生地とを縫合し、さらにその耐熱性素材の面と、エプロン裏面とを重ね合わせ縫合することで、エプロン裏面の左右下方に耐熱ポケットを形成したことを特徴とする鍋つかみ機能付きエプロン。
【発明の詳細な説明】
【技術分野】
【０００１】  本発明は、高温になった鍋や皿などを取り扱う時に便利な、鍋つかみ機能付きエプロンに関するものである。
【背景技術】
【０００２】  従来、調理中に高温になった鍋や皿などを取り扱う時には、個別の鍋つかみを使用したり、布巾などを代用していた。
【発明の開示】
【発明が解決しようとする課題】
【０００３】  それには次のような問題点があった。
（イ）一般に鍋つかみは、壁に掛け置きにしたりテーブルに置くなどしているため、          すぐに使用したい時に身近に無いという不便さがあった。
調理中の台所は食材や調理器具等であふれているため、鍋つかみが食材や器具          の裏に隠れてしまい、見つけにくい場合が多々あった。
（ロ）急きょエプロンの端を利用し皿などを持とうとした場合、持ちにくさに加え、          耐熱性がないために、すぐに熱が手に伝導してしまうため大変危険であった。
本発明は、以上の問題点を解決するためのものである。
【課題を解決するための手段】
【０００４】  エプロン裏面の左右下方に、耐熱性の素材で作成した耐熱ポケットを取り付けて、エプロンに鍋つかみの機能を付加する。使いやすさと安全を考慮し、耐熱ポケットは手の平に合わせた形状とする。エプロンの裾は左右一カ所づつ縦に切り込みを入れ、耐熱ポケットの部分をエプロン本体から少し切り離すことで、手を動かせる範囲を広げる。
【発明の効果】
【０００５】  調理中エプロンは常に身に着けているものなので、それに取り付けた鍋つかみは、探す必要がなくすぐに使用することができる。耐熱ポケットを手の平に合わせた形状にすることにより手は固定され、持つ、握るなどの作業を安全に行うことができる。エプロンの裾に切り込みを入れることで足運びが楽になり、耐熱ポケット使用時の手の動きも自在になる。
【発明を実施するための最良の形態】
【０００６】  以下、本発明の実施の形態を説明する。
（イ）肩紐と腰紐を有するエプロン本体（１）の下縁より上方向に、並列して２個の          縦長の切り込み（２）を設け、中央を前垂れ部（３）と両側を横垂れ部（４）          とする。
各横垂れ部（４）の裏面の下方に、綿や布、不織布等からなる耐熱性素材を          手の平の形状にした下生地（５）で耐熱ポケット（９）を設ける。耐熱ポケッ          ト（９）の構成は、次の（ロ）〜（ハ）のようになっている。
（ロ）エプロン本体（１）と同色の表生地（６）の裏面に、下生地（５）の裏面が合          わさるように重ねる。上方の手の入り口にあたる開口部（７）を残して、表生          地（６）と下生地（５）の側面並びに底面を、下生地（５）の輪郭に沿った縫          い線（８）で縫合し耐熱ポケット（９）を形成する。
（ハ）エプロン横垂れ部（４）の裏面下方に、耐熱ポケット（９）の下生地（５）の          面が合わさるように重ね、下生地（５）の開口部（７）と表生地（６）の上部          （１１）を、横垂れ部（４）に縫合し固定する。
さらに、合わせた横垂れ部（４）と耐熱ポケット（９）の縁取り部（１０）          を縫合する。
本発明は以上のような構成になっている。
これを使用する時は、エプロンの内側に手をくぐらせるように入れ、手の平を上向きにしながら腕を伸ばすだけで、耐熱ポケット（９）まで滑り込むように流れよく装着できるようになっている。
耐熱性素材の下生地（５）は、エプロンと同色の表生地（６）に固定、縫合してあるため、エプロン表面に縫い目は少なくきれいである。【０００７】  本発明はエプロンの裏面に耐熱ポケットを取り付けたが、同様のポケットを表面に取り付けた場合は、そこに物が入り込む可能性があり使用時に危険かつ邪魔である。さらに装着しづらく、手の動きを妨げる形態であることを確認済みである。
【図面の簡単な説明】
【０００８】
【図１】本発明の一部分離斜視図
【図２】本発明の装着時の背面図
【図３】本発明の使用状態を示す斜視図
【符号の説明】
【０００９】１  エプロン本体
２  切り込み
３  前垂れ部
４  横垂れ部
５  下生地
６  表生地
７  開口部
８  縫い線
９  耐熱ポケット
１０縁取り部
１１上部
【図１】
2005232660.tif 000003
【図２】
2005232660.tif 000004
【図３】
2005232660.tif 000005
(57)【要約】【課題】ニンニクを調理する際の指への臭い移りを防止する、すべり止め付きの親指、人差し指のカバーを提供する。【解決手段】ゴム製の帯状のものの両端に、すべり止め（４）付きの人差し指カバー（１）、人差し指カバー（２）を設ける事により、両指へのニンニクの臭い移りを防止できる事を特徴とする。【選択図】図４
2005232658.tif 000002
【特許請求の範囲】
【請求項１】
人差し指カバー（１）と親指カバー（２）がつながったもので、表面にすべり止めが設けてある指カバー。
【発明の詳細な説明】
【発明の詳細な説明】
【技術分野】
【０００１】  この発明は、ニンニクを切ったり、すりおろしたりする際、押さえている指にニンニクの臭いが付くのを防ぐ為の指カバーに関するものである。
【背景技術】
【０００２】従来、ニンニクを切る際にニンニクを押さえる為に使う親指、人差し指のみをカバーし、臭い移りを防ぐ、つながった指カバーは存在しなかった。
【発明が解決しようとする課題】
【０００３】これは次のような欠点があった。
ニンニクを切る際、押さえる方の指にはニンニクの臭いがしみ付き、手洗い、入浴などしても、数日臭いが取れなかった。調理用の手袋をしたが、特に臭いが移る指は親指、人差し指の２本なので、調理用手袋では大袈裟で、使用後の処理も手間取った。ラップやティッシュを指に巻いてニンニクを持って押えてみたが、すべって押さえにくかった。両指にそれぞれカバーをしてみたが、片手では着脱できず、保管時に片方を紛失しやすかった。本発明は以上の欠点をなくす為になされたものである。
【課題を解決する為の手段】
【０００４】  ニンニクを押さえる時に使う親指、人差し指のみをカバーし臭い移りを防ぐ。親指カバー（１）、人差し指カバー（２）はつながっている為、簡単に着脱でき、バラバラにならず、片方を紛失する事もない。表面はすべり止め加工（４）がされており、ニンニクがすべらずにしっかり押さえられる。
本発明は以上の構成よりなる、臭い移り防止カバーである。
【発明を実施するための最良の形態】
【０００５】以下、本発明の実施の形態について説明する。
ゴム製の親指カバー（１）と人差し指カバー（２）を指挿入口（３）を向かい合わせに、同素材の約１０ｃｍほどの帯状のものの両端に設ける。人差し指カバー（２）は親指カバー（１）より長めになっており、人差し指カバー（２）親指カバー（１）双方の指挿入口部分（３）のみ厚く加工されており、指を挿入しやすい。ニンニクを押さえるときにすべらないように、表面にすべり止め加工（４）がしてある。
本発明は以上のような構造で、これを使用する時は、ニンニクを押さえる方の手の親指、人差し指にカバーを装着し、ニンニクを調理する。
【発明の効果】
【０００６】装着する方の手の親指と人差し指を、それぞれのカバーに差し込めば片手で簡単に装着できる。カバーされた指でにんにくを持ち、スライス、みじん切り、すりおろしなどする。オバーする事により、両指に臭いが移らない。すべり止めが付いている為ニンニクがすべらず、しっかり持つ事ができ、調理しやすい。また、カバーされた指で、包丁についたニンニクや、おろし皿に残ったニンニクを取る事も可能である。カバーはつながっているので使用後も洗剤で一度に洗え、手間も省く事ができる。
【図面の簡単な説明】
【図１】本発明の斜視図である。
【図２】本発明の正面図である。
【図３】本発明の裏面図である。
【図４】本発明の使用時の斜視図である。
【符号の説明】
１  親指カバー
２  人差し指カバー
３  指挿入口
４  すべり止め
【図１】
2005232658.tif 000003
【図２】
2005232658.tif 000004
【図３】
2005232658.tif 000005
【図４】
2005232658.tif 000006
(57)【要約】【目的】    本発明は衝撃吸収性能の優れた発泡体を使用して日常作業においてもずれ難く、軽くて薄い、コンパクトな軽作業用プロテクターを提供することに関する。【構成】    衝撃吸収性に優れた発泡体を挿入した中央のまちを付けた膝宛部と、この膝宛部を挟んで対向し上側に位置するバンドと下側に位置するバンドとから構成されたプロテクター。【選択図】  図１
2005232661.tif 000002
【特許請求の範囲】
【請求項１】
膝蓋骨部に当接する位置に衝撃吸収性能の優れた単一の発泡体を，長短２本のバンドにより固定させ得る、薄く軽量な事を特長とする軽作業用プロテクター
【請求項２】
膝蓋骨部及びその両側部にかけての領域を覆うように、上部にまち（６）を付け縫合することにより日常の作業によってもずれ難く、膝への保護性を高めたことを特長とする請求項１記載のプロテクター
【請求項３】
衝撃吸収性能の優れた発泡体として、室温領域においてガラス転移温度を持ちこの温度領域において高い制振特性を持つ、ポリスチレンとビニルポリイソプレンの共重合体を主成分とした発泡体であることを特長とする請求項１記載のプロテクター
【発明の詳細な説明】
【発明が属する技術分野】
【０００１】  本発明は、衝撃吸収性能の優れた発泡体を使用して日常作業においてもずれ難く、軽くて薄いコンパクトな軽作業用プロテクターを提供することに関する。
【背景技術】
【０００２】  介護従事者、いざり歩行を余儀なくされる方、建設従事者、着付け師、保育士などは、膝を付いて作業に従事する場合が多いが、長時間の作業に従事すると膝蓋骨部、特に床に直接接触している部分が体重によって赤く腫れたり、皮膚を傷めるなどの傷害が多々発生している。【０００３】そのため、これらの問題を解消するため、市販のスポーツ用ニーパッドを装着して作業に従事している。
【発明が解決しようとする課題】
【０００４】  しかし、膝蓋骨部を保護する事に関しては、ある程度効果はあるが、スポーツ専用の特殊な物であるため重く、嵩張るため日常の作業には適さず、特に若い女性の場合ファッション性の面からも使用し難いなどの種々の問題が生じている。
【０００５】  本発明は、上記の事情に鑑みなされた物で、簡単に装着でき、衝撃吸収力が高く、日常の作業に従事してもずれる事無く長時間装着していても負担にならない軽くコンパクトな軽作業用プロテクターを提供することを目的とする。
【課題を解決するための手段】
【０００６】  本発明のプロテクターは、図１のように中央の膝宛部（１）と、この膝宛部（１）を挟んで対向し上側に位置するバンド（２ａ）（２ｂ）と下側に位置するバンド（３ａ）（３ｂ）とから構成されている。
プロテクターの表面側は、後述する面ファスナーがどの位置でも取り外せ又自由に固定する事が出来るようなパイル生地を使用し、又裏面には滑り難く、感触性が良い吸汗性の生地で構成され、膝蓋骨部及び両側部に欠けての領域を覆うように、まち（６）を付け縫合される。従って一般のプロテクターに比べ、装着者の膝蓋骨部の形状にピッタリと接合されるため長時間の作業においても、違和感や、ずれる事も無く使用される。
【０００７】  また膝宛部（１）を挟んで対向し上側に位置するバンド（２ａ）（２ｂ）の長さは、下側に位置するバンド（３Ａ）（３ｂ）の長さよりやや長めに形成される。
それぞれその一方の先端部には、図２に示すように、面ファスナー（４ａ）（４ｂ）が各々取り付けられており、この面ファスナー（４ａ）（４ｂ）によって対応するバンド（２ａ）（３ａ）の表面側のパイル地にしっかりと接合される事となる。更に、膝宛部（１）の中央部即ち膝蓋骨部に当る位置には、室温領域において制振性に優れた発泡体を楕円形に切断した物が２枚の布地の間に収められている。
【０００８】  室温領域において制振性に優れた発泡体は、ポリスチレンとビニルポリイソプレンのブロック共重合体に発泡剤や架橋剤を配合して発泡させたもので、求める厚みにスライスして使用される。また発泡体は、通気性を高めるために全面にパンチングを行う。
【発明の効果】
【０００９】  本発明に使用する衝撃吸収性の発泡体は、従来のＥＶＡやポリウレタンの発泡体に比べ、２〜３倍の制振性能を有するため、１／２〜１／３の厚さでプロテクターを製造することが可能となる。また図２のように膝蓋骨部の凸部を完全に覆うように、上部にまちを付け縫合するため、長時間の作業にもかかわらず、ずれる事無く装着でき、堅い床面などに膝を突いたりした時にもその衝撃を吸収して和らげることが出来た。又薄くコンパクトなため装着していても違和感は生じなかった。
【製造例１】
【００１０】  ポリスチレンとビニルポリイソプレンのブロック共重合体７０部、ポリイソプレン３０部、カルシュームカーボネート１００部、ステアリン酸２部，ＤＯＰ４部，架橋剤０．４部、発泡剤８部，顔料０．５部をニーダーに入れ温度１１０℃で混練りする。次いでロールにより薄く板状にし、金型に入れプレス温度１６５℃で１５分間プレス架橋を行って，発泡倍率２０倍、硬度１０（Ｓｈｏｒｅ  Ｃ）、反発弾性２０％の衝撃吸収性能に優れた発泡体を製造した。
【実施例１】
【００１１】  製造例１で製造した３０ｍｍの衝撃吸収性発泡体を１０ｍｍの厚さにスライスした後１５０ｍｍ×１００ｍｍの大きさに打ち抜き，膝蓋骨部の凸部を完全に覆うように上部にまち（６）を付けた布地（表面がパイル地、裏面がタオル地）の間に挟み縫製を行った。
また、長短２本のバンドの一方の端に面ファスナーをとりつけて本発明のプロテクターを完成させた。
本発明のプロテクターを両膝に装着し、介護の仕事に従事した所．硬い床に膝を付く仕事が多いにも関わらず膝への痛みもなく負担が軽減された。又長時間従事したが、プロテクターが保護すべき所定の膝蓋骨部よりずれる事無く快適に作業に集中できた。
【実施例２】
【００１２】  実施例１で、製造したプロテクターを、いざり歩行を余儀なくされる方が両膝に着け、日常生活を行ったところ硬い床面から膝を保護することが出来、且つスムーズに移動が可能となった。また終日装着していたにも関わらず違和感もなくプロテクターが膝蓋骨部よりずれる事がなかった。
【図面の簡単な説明】
【００１３】
【図１】      本発明のプロテクターの正面図
【図２】      本発明のプロテクターの装着図
【図３】      本発明のプロテクターの側面図
【符号の説明】
１              膝宛部
２ａ，２ｂ      上側に位置するバンド
３ａ，３ｂ      下側に位置するバンド
４ａ、４ｂ      面ファスナー
５              衝撃吸収性発泡体
６              まち部
【図１】
2005232661.tif 000003
【図２】
2005232661.tif 000004
【図３】
2005232661.tif 000005